(57)【特許請求の範囲】
【請求項１】
ヘッド本体（２）のフェース面側に凹所（５）を形成し、該凹所（５）にフェース板（３）を嵌合するクラブヘッド（１）に於て、該フェース板（３）をアモルファス金属にて形成し、かつ、該フェース板（３）に基本孔部（14）を形成すると共に、孔部（８）を有する真鍮又は軟鉄のボス（15）又は孔部（８）を有する樹脂製のボス（15）を上記基本孔部（14）に嵌合し、上記ヘッド本体（２）の上記凹所（５）の底面壁（６）にネジ孔（７）を設け、上記孔部（８）にネジ（９）を挿入して上記ネジ孔（７）に該ネジ（９）を螺合させ、上記フェース板（３）とヘッド本体（２）を連結固定したことを特徴とするクラブヘッドのフェース板固定構造。
【請求項２】
ヘッド本体（２）のフェース面側に凹所（５）を形成し、該凹所（５）にフェース板（３）を嵌合するクラブヘッド（１）に於て、該フェース板（３）をアモルファス金属にて形成し、かつ、該フェース板（３）に基本孔部（14）を形成すると共に、孔部（８）を有する真鍮又は軟鉄のボス（15）又は孔部（８）を有する樹脂製のボス（15）を上記基本孔部（14）に嵌合し、上記ヘッド本体（２）の上記凹所（５）の底面壁（６）に貫通孔（12）を設け、上記孔部（８）から該貫通孔（12）にネジ（９）を挿入し、上記凹所（５）の底面壁（６）の裏面（６ａ）側からナット（11）を螺合させて、上記フェース板（３）とヘッド本体（２）を連結固定したことを特徴とするクラブヘッドのフェース板固定構造。
【請求項３】
フェース板（３）とヘッド本体（２）の凹所（５）の一部乃至全体との当接部位に接着剤を塗布した請求項１又は２記載のクラブヘッドのフェース板固定構造。
【発明の詳細な説明】
【０００１】
【発明の属する技術分野】
本発明は、ヘッド本体のフェース面側に凹所を形成し、該凹所にフェース板を嵌合するクラブヘッドに於けるフェース板固定構造に関する。
【０００２】
【従来の技術】
従来から、クラブヘッドの材料には、ウッド用として、パーシモン（木材），ＦＲＰ，ステンレス，アルミ合金，チタン合金等が使用され、アイアン用として、軟鉄，ＦＲＰ，ステンレス，純チタン，チタン合金等が使用されている。また、飛距離や打球感の向上のために、フェース面をヘッド本体とは異なる材料のフェース板にて形成したものが提案されている。
【０００３】
【発明が解決しようとする課題】
そして、このフェース板には、インピーダンス理論に基づいて反発性能に優れたアモルファス金属（非晶質金属）が適している。しかしながら、ヘッド本体の材料としてよく使用される純チタンやチタン合金製のヘッド本体に、従来からの鋳ぐるみ法，塑性加工法及び圧入法にて、アモルファス金属製のフェース板を固定しても、アモルファス金属の特性から、フェース板に損傷を生じたり、仕上げが困難であったりするおそれがあった。
【０００４】
即ち、アモルファス金属の特性としては、加熱によって変態して物性が変化することや、ほとんど塑性変形しないことが挙げられるが、フェース板のヘッド本体への固定方法として、鋳ぐるみ法や加熱を伴う塑性加工法を用いた場合、これらの方法はフェース板の材質を変態させてしまうために、フェース板の材質が持つ本来の性能が失われてしまうおそれがあった。
【０００５】
また、圧入法を用いた場合、フェース板の周辺に損傷ができたり、ヘッド本体が損傷したりして、ヘッドとして完成品にならず、たとえ圧入できたとしても、フェース界面の仕上げが困難で、商品性が著しく低下してしまうおそれがあった。
【０００６】
しかも、ヘッド本体の材料である純チタンやチタン合金も、加工性が悪く、塑性変形を利用して加工することが困難であった。そこで、本発明は、インピーダンス理論に基づいて反発性能に優れたアモルファス金属製フェース板を、特に塑性変形が困難な材質にて形成されたヘッド本体に、確実に固定可能としたクラブヘッドのフェース板固定構造を提供することを目的とする。
【０００７】
【課題を解決するための手段】
上述の目的を達成するために、本発明に係るクラブヘッドのフェース板固定構造は、ヘッド本体のフェース面側に凹所を形成し、該凹所にフェース板を嵌合するクラブヘッドに於て、該フェース板をアモルファス金属にて形成し、かつ、該フェース板に基本孔部を形成すると共に、孔部を有する真鍮又は軟鉄のボス又は孔部を有する樹脂製のボスを上記基本孔部に嵌合し、上記ヘッド本体の上記凹所の底面壁にネジ孔を設け、上記孔部にネジを挿入して上記ネジ孔に該ネジを螺合させ、上記フェース板とヘッド本体を連結固定したものである。
【０００８】
また、ヘッド本体のフェース面側に凹所を形成し、該凹所にフェース板を嵌合するクラブヘッドに於て、該フェース板をアモルファス金属にて形成し、かつ、該フェース板に基本孔部を形成すると共に、孔部を有する真鍮又は軟鉄のボス又は孔部を有する樹脂製のボスを上記基本孔部に嵌合し、上記ヘッド本体の上記凹所の底面壁に貫通孔を設け、上記孔部から該貫通孔にネジを挿入し、上記凹所の底面壁の裏面側からナットを螺合させて、上記フェース板とヘッド本体を連結固定したものである。
【０００９】
また、フェース板とヘッド本体の凹所の一部乃至全体との当接部位に接着剤を塗布するもよい。
【００１０】
【発明の実施の形態】
以下、実施の形態を示す図面に基づき、本発明を詳説する。
【００１１】
図１は、ウッド型クラブヘッドに適用する本発明のクラブヘッドのフェース板固定構造の実施の一形態を示す。このクラブヘッド１は、金属製の中空ウッド型（メタルウッド）であり、ヘッド本体２とフェース面の一部を占めるフェース板３と、から成っている。
【００１２】
そして、このフェース板３は、複数個のネジ９…（図例では２個）にてヘッド本体２に固定されており、フェース面全体としては、平滑な連続面状に形成されている。
【００１３】
具体的に述べると、ヘッド本体２は、例えば、純チタン，チタン合金，ステンレス等で形成されており、（図外の）ゴルフクラブシャフトに接続するためのネック部４が一体に形成されている。
【００１４】
また、図２の要部断面図に示すように、このヘッド本体２のフェース面側には、フェース板３を嵌合するための浅い凹所５が形成されており、この凹所５の底面壁６を貫通して中空室部10に連通する複数個のネジ孔７…が設けられている。そして、フェース板３は、低弾性率と高強度特性をもつアモルファス金属にて作製されており、複数個の基本孔部14…が設けられている。
【００１５】
つまり、ヘッド１は、ヘッド本体２の凹所５にフェース板３を嵌合すると共に、フェース板３の基本孔部14から後述するボス15を介してネジ９を挿入し、このネジ９をヘッド本体２のネジ孔７に螺合させて連結固定した構造を備えている。なお、ネジ９は、純チタン，チタン合金，ステンレス等の比較的硬い金属にて作製される。
【００１６】
即ち、フェース板３に基本孔部14を形成すると共に、孔部８を有する、真鍮や軟鉄等の比較的柔らかい金属又は樹脂製のボス15を基本孔部14に嵌合したものである。そして、フェース板３とヘッド本体２は、ボス15の孔部８にネジ９を挿入し、このネジ９をヘッド本体２の凹所５の底面壁６に設けたネジ孔７に螺合させて、連結固定される。
【００１７】
この図２に示した構造は、ボス15によってネジ９とフェース板３の接触部位を少なくすると共に、ボス15を介することにより、打撃時の衝撃によって生じるフェース板３への応力を緩和することができ、ネジ９がフェース板３を損傷させることを防止できる。
なお、（図示省略するが、）フェース板３とヘッド本体２は、基本的構成は、図２と同様であるが、図４の比較例に示したようなネジ・ナット結合にて連結固定する構造としてもよい。即ち、図２に示したネジ孔７を貫通孔12として、図４のナット11を用いて、ネジ９に螺着すればよい。
【００１８】
なお、本発明は、上述の実施の形態以外にも設計変更自由である。例えば、本発明の固定構造は、上述したようなウッド型に限らず、アイアン型にも適用できる。また、図３に示すように、基本的構成は図２と同様であるが、基本孔部14を段付孔とすると共に、ボス15を鍔付とする。このことから、ネジ９がフェース板３に直接接触することがないため、ネジ９がフェース板３を損傷させることを確実に防止できる。さらに、ネジ９の個数を、２個より多く（例えば３個乃至４個）しても、フェース板３とヘッド本体２を一層強固に連結固定できて好ましい。また、本発明に於て、フェース板３の全体が非晶質金属（アモルファス金属）である場合の他、局部的に結晶質部を有する場合をも、包含する。さらに、底面壁６としては、窓部が貫設された形状（底面壁６が内鍔状に形成される場合）であっても良い。
【００１９】
また、図２と図３の固定構造に於て、フェース板３とヘッド本体２の凹所５の一部乃至全体との当接部位に接着剤を塗布して、一層強固にフェース板３とヘッド本体２を連結固定するようにしても好ましい。
【００２０】
【発明の効果】
本発明は上述の如く構成されるので、次に記載する効果を奏する。
【００２１】
（請求項１，２によれば、）比較的安価で、フェース板３の材質の物性を（加熱により）変化させることなく、確実にフェース板３をヘッド本体２に固定することができる。つまり、インピーダンス理論に基づいて反発性能が優れているという特性をもつアモルファス金属を、その特性を失うことなくフェース板３に利用できるため、商品性の高いクラブヘッド１を得ることができる。
【００２２】
（請求項１，２によれば、）さらに、ボス15によってネジ９がフェース板３に直接接触することをさけると共に、打撃時の衝撃がボス15を介してフェース板３に伝わるようにしたことから、打撃時のフェース板３への応力を緩和でき、ネジ９によるフェース板３の損傷を防ぐことができる。
【００２３】
（請求項３によれば、）フェース板３とヘッド本体２を一層強固に連結固定することができ、ヘッド１使用中にフェース板３が脱落することを防止できる。
【図面の簡単な説明】
【図１】  本発明の実施の一形態を示す正面図である。
【図２】  本発明の実施の一形態を示す要部断面図である。
【図３】  他の実施の形態を示す要部断面図である。
【図４】  比較例を示す要部断面図である。
【符号の説明】
１  ヘッド
２  ヘッド本体
３  フェース板
５  凹所
６  底面壁
６ａ  裏面
７  ネジ孔
８  孔部
９  ネジ
11  ナット
12  貫通孔
14  基本孔部
15  ボス
【図１】
0003674658.tif 000002
【図２】
0003674658.tif 000003
【図３】
0003674658.tif 000004
【図４】
0003674658.tif 000005